(57)【要約】【課題】折り畳み式扉が貫通する場合であっても、煙が漏洩するのを防止できる防煙垂れ壁を提供すること。【解決手段】防煙垂れ壁の塞ぎ部材１は、建物内の防煙区画を形成する防煙垂れ壁１０に設けられて、折畳み式扉２０が貫通する部分を塞ぐ。折畳み式扉２０は、天井面１３に取り付けられてガイド溝２１が設けられたレール２２と、レール２２に沿って移動可能に吊り下げ支持されて互いに連結された複数枚のパネル２３と、を備える。レール２２は、防煙垂れ壁１０に形成された開口１２を貫通している。塞ぎ部材１は、開口１２のうちレール２２の下端よりも上側の部分を塞ぐ塞ぎ板３０と、開口１２のうち塞ぎ板３０の下方に設けられて前後に開閉可能なスイング扉３１と、を備える。【選択図】図１
2020141768.tif 000002
【特許請求の範囲】
【請求項１】
建物内の防煙区画を形成する防煙垂れ壁に設けられて、折畳み式扉が貫通する部分を塞ぐ塞ぎ部材であって、
前記折畳み式扉は、天井面に取り付けられてガイド溝が設けられたレールと、当該レールに沿って移動可能に吊り下げ支持されて互いに連結された複数枚のパネルと、を備え、
当該レールは、前記防煙垂れ壁に形成された開口を貫通しており、
当該開口のうち前記レールの下端よりも上側の部分を塞ぐ塞ぎ板と、前記開口のうち当該塞ぎ板の下方に設けられて前後に開閉可能なスイング扉と、を備えることを特徴とする防煙垂れ壁の塞ぎ部材。
【請求項２】
前記スイング扉の上下端には、当該スイング扉を前後に開閉可能なグレビティヒンジが設けられることを特徴とする請求項１に記載の防煙垂れ壁の塞ぎ部材。
【請求項３】
前記スイング扉の上側の端縁には、防煙シートが設けられることを特徴とする請求項１または２に記載の防煙垂れ壁の塞ぎ部材。
【発明の詳細な説明】
【技術分野】
【０００１】
本発明は、建物内の防煙区画を形成する防煙垂れ壁に設けられて、折畳み式扉が貫通する部分を閉塞する塞ぎ部材に関する。
【背景技術】
【０００２】
従来より、従来、オフィスビルやショッピングモール等では、建築基準法により定められた防煙区画を形成するため、天井面に防煙垂れ壁が設けられている。
ところで、改修工事において、この防煙垂れ壁を貫通するように、折畳み式扉を取り付ける場合がある（特許文献１、２参照）。
特許文献１には、天井面に取り付けられてガイド溝が設けられたレールと、このレールに吊り下げ支持されて互いに連結された複数枚のパネルと、を備える折畳み式扉が示されている。この折り畳式扉によれば、連結された複数枚のパネルをガイド溝に沿って移動させることで、パネルを展開させたり折り畳んだりできる。
【０００３】
特許文献２には、ガイド溝が形成された下枠と、吊りレールが形成された上枠と、ガイド溝および吊りレールに沿って移動する複数のマリオンと、これらマリオンに取り付けられた複数の戸体と、を備える折れ戸が示されている。
【先行技術文献】
【特許文献】
【０００４】
【特許文献１】特開２０１８−１８４７８７号公報
【特許文献２】特開２０１５−１９６９７６号公報
【発明の概要】
【発明が解決しようとする課題】
【０００５】
以上のような折畳み式扉では、天井面に取り付けたレールが防煙垂れ壁を貫通するため、火災時に貫通部分から煙が漏洩してしまい、防煙区画としての機能を果たすことができないおそれがあった。
【０００６】
本発明は、折り畳み式扉が貫通する場合であっても、煙が漏洩するのを防止できる防煙垂れ壁を提供することを目的とする。
【課題を解決するための手段】
【０００７】
請求項１に記載の防煙垂れ壁の塞ぎ部材（例えば、後述の塞ぎ部材１）は、建物内の防煙区画を形成する防煙垂れ壁（例えば、後述の防煙垂れ壁１０）に設けられて、折畳み式扉（例えば、後述の折畳み式扉２０）が貫通する部分を塞ぐ塞ぎ部材であって、前記折畳み式扉は、天井面（例えば、後述の天井面１３）に取り付けられてガイド溝（例えば、後述のガイド溝２１）が設けられたレール（例えば、後述のレール２２）と、当該レールに沿って移動可能に吊り下げ支持されて互いに連結された複数枚のパネル（例えば、後述のパネル２３）と、を備え、当該レールは、前記防煙垂れ壁に形成された開口（例えば、後述の開口１２）を貫通しており、当該開口のうち前記レールの下端よりも上側の部分を塞ぐ塞ぎ板（例えば、後述の塞ぎ板３０）と、前記開口のうち当該塞ぎ板の下方に設けられて前後に開閉可能なスイング扉（例えば、後述のスイング扉３１）と、を備えることを特徴とする。
【０００８】
この発明によれば、折り畳み式扉のパネルを折り畳んだ状態では、パネルが防煙垂れ壁を貫通しておらず、スイング扉が閉じているため、火災時に防煙垂れ壁の塞ぎ部材から煙が漏洩するのを防止できる。そして、この状態からパネルを展張すると、パネルが防煙垂れ壁を貫通し、パネルに押されてスイング扉が開いた状態となるので、パネルを円滑に展張できる。
【０００９】
請求項２に記載の防煙垂れ壁の塞ぎ部材は、前記スイング扉の上下端には、当該スイング扉を前後に開閉可能なグレビティヒンジ（例えば、後述のグレビティヒンジ３４）が設けられることを特徴とする。
【００１０】
この発明によれば、スイング扉を閉じた状態から前後に開くと、グレビティヒンジにより、スイング扉が螺旋状に迫り上がるので、スイング扉の自重により自然と閉じた状態に力がかかる。よって、パネルを展張してスイング扉が開いた状態からパネルを折り畳むと、グレビティヒンジによりスイング扉が閉じた状態に自然に復帰するので、直ちに防煙垂れ壁としての機能を果たすことができる。
【００１１】
請求項３に記載の防煙垂れ壁の塞ぎ部材は、前記スイング扉の上側の端縁には、防煙シート（例えば、後述の防煙シート３５）が設けられることを特徴とする。
【００１２】
この発明によれば、スイング扉の上側の端縁に防煙シートを設けたので、スイング扉と塞ぎ板およびレールとの隙間を確実に塞いで、火災時に防煙垂れ壁の塞ぎ部材から煙が漏洩するのをより確実に防止できる。
【発明の効果】
【００１３】
本発明によれば、折り畳み式扉が貫通する場合であっても、煙が漏洩するのを防止できる防煙垂れ壁を提供できる。
【図面の簡単な説明】
【００１４】
【図１】本発明の一実施形態に係る防煙垂れ壁の塞ぎ部材の正面図である。
【図２】図１のＡ−Ａ断面図である。
【図３】図２のＢ−Ｂ断面図である。
【図４】図２のＣ−Ｃ断面図である。
【図５】前記塞ぎ部材の動作を示す平断面図である。
【発明を実施するための形態】
【００１５】
以下、本発明の一実施形態について、図面を参照しながら説明する。
図１は、本発明の一実施形態に係る防煙垂れ壁１０の塞ぎ部材１の正面図である。図２は、図１のＡ−Ａ断面図であり、図３および図４は、図２のＢ−Ｂ断面図およびＣ−Ｃ断面図である。
建物内には、防煙区画を形成する防煙垂れ壁１０が設けられており、この防煙垂れ壁１０には、折畳み式扉２０が貫通して設けられている。防煙垂れ壁１０のうち折畳み式扉２０が貫通する部分は、塞ぎ部材１で塞がれている。
【００１６】
天井内には、天井内間仕切壁１１が設けられており、防煙垂れ壁１０は、この天井内間仕切壁１１の下端面から下方に延びている。
折畳み式扉２０は、天井面１３に取り付けられてガイド溝２１が設けられたレール２２と、レール２２に沿って移動可能に吊り下げ支持されて互いに連結された複数枚のパネル２３（図５参照）と、を備える。
天井内にはレール下地１４が設けられており、レール２２は、このレール下地１４に取り付けられている。このレール２２は、防煙垂れ壁１０に形成された矩形形状の開口１２を貫通している。
【００１７】
塞ぎ部材１は、防煙垂れ壁１０の開口１２のうちレール２２の下端よりも上側の部分を塞ぐ塞ぎ板３０と、開口１２のうち塞ぎ板３０の下方に設けられて前後に開閉可能なスイング扉３１と、を備える。
防煙垂れ壁１０の開口１２の両端には、鉛直方向に延びる鉛直下地材３２が取り付けられており、防煙垂れ壁１０の上端つまり天井内間仕切壁１１の下端には、水平方向に延びる水平下地材３３が取り付けられている。
塞ぎ板３０は、一部が折り曲げ形成されたアングル材であり、水平下地材３３および鉛直下地材３２に溶接固定されている。
【００１８】
スイング扉３１の上下端には、スイング扉３１を前後に開閉可能にするグレビティヒンジ３４が設けられている。スイング扉３１を閉じた状態から前後に開くと、グレビティヒンジ３４により、このスイング扉３１が螺旋状に迫り上がるので、スイング扉３１の自重により自然と閉じた状態に復帰するようになっている。
また、スイング扉３１の上側の端縁には、スイング扉３１と塞ぎ板３０およびレール２２との隙間を塞ぐ防煙シート３５が設けられている。
【００１９】
以上の塞ぎ部材１によれば、折り畳み式扉２０のパネル２３を折り畳んだ状態では、図１〜図４に示すように、パネル２３が防煙垂れ壁１０を貫通しておらず、スイング扉３１が自重により閉じている。そして、この状態からパネル２３を展開すると、図５に示すように、パネル２３が防煙垂れ壁１０を貫通し、パネル２３に押されてスイング扉３１が開いた状態となる。
【００２０】
本実施形態によれば、以下のような効果がある。
（１）折り畳み式扉２０のパネル２３を折り畳んだ状態では、パネル２３が防煙垂れ壁１０を貫通していない。よって、スイング扉３１が閉じているため、火災時に防煙垂れ壁１０の塞ぎ部材１から煙が漏洩するのを防止できる。そして、この状態からパネル２３を展開すると、パネル２３が防煙垂れ壁１０を貫通し、パネル２３に押されてスイング扉３１が開いた状態となるので、パネル２３を円滑に展張できる。
【００２１】
（２）スイング扉３１を閉じた状態から前後に開くと、グレビティヒンジ３４により、スイング扉３１が螺旋状に迫り上がるので、スイング扉３１の自重により自然と閉じた状態に力がかかる。よって、パネル２３を展張してスイング扉３１が開いた状態からパネル２３を折り畳むと、グレビティヒンジ３４によりスイング扉３１が閉じた状態に自然に復帰するので、直ちに防煙垂れ壁１０としての機能を果たすことができる。
【００２２】
（３）スイング扉３１の上側の端縁に防煙シート３５を設けたので、スイング扉３１と塞ぎ板３０およびレール２２との隙間を確実に塞いで、火災時に防煙垂れ壁１０の塞ぎ部材１から煙が漏洩するのをより確実に防止できる。
【００２３】
なお、本発明は前記実施形態に限定されるものではなく、本発明の目的を達成できる範囲での変形、改良等は本発明に含まれるものである。
【符号の説明】
【００２４】
１…防煙垂れ壁の塞ぎ部材
１０…防煙垂れ壁  １１…天井内間仕切壁  １２…開口  １３…天井面
１４…レール下地
２０…折畳み式扉  ２１…ガイド溝  ２２…レール  ２３…パネル
３０…塞ぎ板  ３１…スイング扉  ３２…鉛直下地材  ３３…水平下地材
３４…グレビティヒンジ  ３５…防煙シート
【図１】
2020141768.tif 000003
【図２】
2020141768.tif 000004
【図３】
2020141768.tif 000005
【図４】
2020141768.tif 000006
【図５】
2020141768.tif 000007